(57)【要約】【課題】漏洩側の映像、観測側の映像、画素配置を含む種々の要因に起因するクロストークを低減すること。【解決手段】複数の観測者のそれぞれに対応して複数の異なる映像を切り替えて単一の表示画面に表示する映像表示装置であって、映像表示素子と、複数の異なる映像信号のうち観測者によって観測される観測側映像信号と、該観測側映像信号以外の非観測側映像信号（漏洩側映像）とを用いて、映像の切り替え表示により発生するクロストークを抑制するための補正信号を生成する補正信号生成手段(変換テーブル１０１、乗算器１０２)と、補正信号生成手段(変換テーブル１０１、乗算器１０２)で生成された補正信号を観測側映像信号から減算してクロストークが抑制された観測側映像信号を出力する減算器１０３と、減算器１０３から出力された観測側映像信号に基づいて表示画面を駆動する駆動回路と、を具備する。【選択図】    図８
2008287161.tif 000002
【特許請求の範囲】
【請求項１】
複数の観測者のそれぞれに対応して複数の異なる映像を切り替えて単一の表示画面に表示する映像表示装置であって、
映像表示素子と、
複数の異なる映像信号のうち観測者によって観測される観測側映像信号と、該観測側映像信号以外の非観測側映像信号とを用いて、映像の切り替え表示により発生するクロストークを抑制するための補正信号を生成する補正信号生成手段と、
前記補正信号生成手段で生成された補正信号を前記観測側映像信号から減算して前記クロストークが抑制された観測側映像信号を出力する減算手段と、
前記減算手段から出力された観測側映像信号に基づいて前記表示画面を駆動する駆動回路と、
を具備することを特徴とする映像表示装置。
【請求項２】
前記補正信号生成手段は、前記観測側映像信号により表示される映像の輝度をｘ軸とし、前記クロストークによる観測側映像の輝度増加分をｙ軸とした座標系において、前記非観測側映像信号により表示される映像の輝度を所定量だけ変化させつつ前記観測側映像信号により表示される映像の輝度を変化させることによりｘとｙの値をプロットして作成した複数の曲線で表されるクロストークを抑制するための補正データを保持する変換テーブルをもつ請求項１記載の映像表示装置。
【請求項３】
前記変換テーブルは、前記観測側映像信号により表示される映像の輝度に応じて変化するデータを含み、
前記補正信号生成手段は、入力された観測側映像信号に基づいて前記変換テーブルを用いて補正信号を生成する請求項２記載の映像表示装置。
【請求項４】
前記変換テーブルは、前記観測側映像信号により表示される映像の輝度、および非観測側映像信号により表示される映像の輝度とに応じて変化するデータを含み、
前記補正信号生成手段は、入力された観測側映像信号と該観測側映像信号以外の非観測側映像信号とに基づいて、前記変換テーブルを用いて補正信号を生成する請求項２記載の映像表示装置。
【請求項５】
前記補正信号生成手段は、前記変換テーブルに基づき作成した変換出力を前記非観測側映像信号に乗算する乗算手段を含み、乗算して補正した非観測側映像信号を前記補正信号として出力する請求項４記載の映像表示装置。
【請求項６】
前記補正信号生成手段は、前記変換テーブルに基づいて作成した変換出力を、前記非観測側映像信号の輝度に応じて変化させて前記非観測側映像信号に乗算する乗算手段を含み、乗算して補正した非観測側映像信号を前記補正信号として出力することを特徴とする請求項３記載の映像表示装置。
【請求項７】
前記変換テーブルは、前記表示画面を複数個に分割したときの各画面位置ごとに複数個用意され、前記表示画面の指定された画面位置に応じて複数の変換テーブルを適宜切り替えて用いることを特徴とする請求項１記載の映像表示装置。
【請求項８】
複数の観測者のそれぞれに対応して、観測者によって観測される観測側映像信号と、該観測側映像信号以外の非観測側映像信号とを含む複数の異なる映像を切り替えて単一の表示画面に表示するときに発生するクロストークを抑制するための補正データの作成方法であって、
前記表示画面に前記観測側映像信号と前記非観測側映像信号とを交互に切り替えて表示する第１のステップと、
前記表示画面に表示されている前記観測側映像信号の輝度を測定する第２のステップと、
前記表示画面に表示されている前記非観測側映像信号の輝度を所定量だけ変化させたときの前記観測側映像信号の輝度を測定する第３のステップと、
前記第２のステップで測定された観測側映像信号の輝度と、前記第３のステップで測定された観測側映像信号の輝度との差を測定する第４のステップと、
を具備し、
前記観測側映像信号の輝度を所定量だけ逐次変化させながら、前記第３のステップと前記第４のステップとを所定回数反復することを特徴とする補正データの作成方法。
【請求項９】
前記観測側映像のみを表示させてその輝度を測定する第５のステップをさらに有し、前記第２のステップで得た測定値と前記第３のステップで得た測定値とから前記第５のステップで得た値を差し引いた後に、前記第４のステップを行うことを特徴とする請求項８記載の補正データの作成方法。
【請求項１０】
前記観測側映像信号の輝度をｘ軸にとり、前記観測側映像信号の輝度と、前記非観測側映像信号の輝度を所定の量だけ変化させたときの前記観測側映像信号の輝度との差をｙ軸にとり、前記各ステップを実行してｘとｙの値をプロットすることによって作成したクロストークを抑制するための補正曲線を用いることを特徴とする請求項８記載の補正データの作成方法。
【請求項１１】
前記補正信号生成手段は、前記非観測側映像信号により表示される映像の輝度と、前記観測側映像信号により表示される映像の輝度の双方に依存して変化する前記補正信号を生成する請求項１記載の映像表示装置。
【請求項１２】
前記クロストークによる観測側映像の輝度増加分は、前記非観測側映像信号が一定の場合、前記観測側映像信号の輝度の増加とともに増加し、所定の輝度を超えると減少に転ずる特性を持ち、
前記補正信号生成手段は、前記クロストークを軽減させる特性を持つ補正信号を生成することを特徴とする請求項１１記載の映像表示装置。
【請求項１３】
前記クロストークによる観測側映像の輝度増加分は、前記非観測側映像信号の輝度の増加とともに増加するものであり、かつ、前記非観測側映像信号の輝度に拘わらず、前記観測側映像信号の輝度の増加とともに増加し、所定の輝度を超えると減少に転ずる特性を持ち、前記補正信号生成手段は、前記クロストークを軽減させる特性を持つ補正信号を生成することを特徴とする請求項１２記載の映像表示装置。
【請求項１４】
前記所定の輝度は、中間の輝度であることを特徴とする請求項１２または１３記載の映像表示装置。
【請求項１５】
前記観測側映像信号により表示される映像の輝度をｘ軸とし、前記クロストークによる観測側映像の輝度増加分をｙ軸とした座標系において、前記クロストークによる観測側映像の輝度増加分は、前記観測側映像信号の輝度の変化に対して、所定の関数に従って変化するような特性を持ち、
前記補正信号生成手段は、前記クロストークを軽減させる特性を持つ補正信号を生成することを特徴とする請求項１２記載の映像表示装置。
【請求項１６】
前記変換テーブルは、前記映像表示素子の表面画面の温度ごとに複数個用意され、前記表示画面の温度に応じて複数の変換テーブルを適宜切り替えて用いることを特徴とする請求項１記載の映像表示装置。
【発明の詳細な説明】
【技術分野】
【０００１】
本発明は、複数の観測者のそれぞれに対応して複数の異なる映像を切り替えて単一の表示画面に表示する映像表示装置及び補正データの作成方法に関する。
【背景技術】
【０００２】
見る方向により異なる複数の映像を同時に１つの画面に表示可能な機能を備えた表示装置がある。例えば、時分割で異なる映像（視点１映像、視点２映像）を交互に透過型液晶表示装置に表示させるのと同期して、異なる２方向に指向性をもつバックライトを交互に切り替えて照明する方法が知られている。
【０００３】
ところで、時分割で異なる映像を交互に切り替えて表示しても、観測の目的としない反対側の映像がわずかに観測されてしまうことが知られており、このような現象はクロストークと呼ばれている。クロストークは、バックライト光が迷光によって目的の方向以外に散乱し、これが原因となって発生するものと考えられている。クロストークによる漏洩量は、観測の目的としない映像、すなわち漏洩側映像の輝度に比例する。
【０００４】
図１５は、クロストークを補正するための従来の一構成例を示している。観測側映像信号、と漏洩側映像信号はクロストーク補正演算部１３に入力されると、観測側／漏洩側切替部１００により切り替えられてそれぞれの別個の出力部から出力される。観測側映像信号は減算器１０３に入力され、漏洩側映像信号は乗算器１０２の一方の入力部に入力される。乗算器１０２の他方の入力部にはクロストークを考慮してあらかじめ決められた固定値１２０が入力される。乗算器１０２は固定値１２０と漏洩側映像信号との乗算を行って乗算結果を漏洩量として減算器１０３に入力する。減算器１０３は観測側映像信号から乗算結果（漏洩量）を減算した値を出力する。観測側映像から漏洩側映像の漏洩分を予め差し引いて表示することにより、漏洩妨害を低減することができる。特開２０００−１３４６４４は上記したクロストーク除去のための構成の一例を開示している。
【特許文献１】特開２０００−１３４６４４
【発明の開示】
【発明が解決しようとする課題】
【０００５】
しかしながら、上記した特開２０００−１３４６４４では、あらかじめ与えられた固定の漏洩量を減算するのみであり、漏洩側の映像、観測側の映像、画素配置などの種々の要因に依存するクロストークを低減することができなかった。
【０００６】
本発明はこのような課題に着目してなされたものであり、その目的とするところは、漏洩側の映像、観測側の映像、画素配置を含む種々の要因に起因するクロストークを低減することができる映像表示装置及び補正データの作成方法を提供することにある。
【課題を解決するための手段】
【０００７】
上記の目的を達成するために、本発明の第１の態様は、複数の観測者のそれぞれに対応して複数の異なる映像を切り替えて単一の表示画面に表示する映像表示装置であって、映像表示素子と、複数の異なる映像信号のうち観測者によって観測される観測側映像信号と、該観測側映像信号以外の非観測側映像信号とを用いて、映像の切り替え表示により発生するクロストークを抑制するための補正信号を生成する補正信号生成手段と、前記補正信号生成手段で生成された補正信号を前記観測側映像信号から減算して前記クロストークが抑制された観測側映像信号を出力する減算手段と、前記減算手段から出力された観測側映像信号に基づいて前記表示画面を駆動する駆動回路と、を具備する。
【０００８】
また、本発明の第２の態様に係る映像表示装置は、第１の態様において、前記補正信号生成手段は、前記観測側映像信号により表示される映像の輝度をｘ軸とし、前記クロストークによる観測側映像の輝度増加分をｙ軸とした座標系において、前記非観測側映像信号により表示される映像の輝度を所定量だけ変化させつつ前記観測側映像信号により表示される映像の輝度を変化させることによりｘとｙの値をプロットして作成した複数の曲線で表されるクロストークを抑制するための補正データを保持する変換テーブルをもつ。
【０００９】
また、本発明の第３の態様に係る映像表示装置は、第２の態様において、前記変換テーブルは、前記観測側映像信号により表示される映像の輝度に応じて変化するデータを含み、
前記補正信号生成手段は、入力された観測側映像信号に基づいて前記変換テーブルを用いて補正信号を生成する。
【００１０】
また、本発明の第４の態様に係る映像表示装置は、第２の態様において、前記変換テーブルは、前記観測側映像信号により表示される映像の輝度、および非観測側映像信号により表示される映像の輝度とに応じて変化するデータを含み、前記補正信号生成手段は、入力された観測側映像信号と該観測側映像信号以外の非観測側映像信号とに基づいて、前記変換テーブルを用いて補正信号を生成する。
【００１１】
また、本発明の第５の態様に係る映像表示装置は、第４の態様において、前記補正信号生成手段は、前記変換テーブルに基づき作成した変換出力を前記非観測側映像信号に乗算する乗算手段を含み、乗算して補正した非観測側映像信号を前記補正信号として出力する。
【００１２】
また、本発明の第６の態様に係る映像表示装置は、第３の態様において、前記補正信号生成手段は、前記変換テーブルに基づいて作成した変換出力を、前記非観測側映像信号の輝度に応じて変化させて前記非観測側映像信号に乗算する乗算手段を含み、乗算して補正した非観測側映像信号を前記補正信号として出力する。
【００１３】
また、本発明の第７の態様に係る映像表示装置は、第１の態様において、前記変換テーブルは、前記表示画面を複数個に分割したときの各画面位置ごとに複数個用意され、前記表示画面の指定された画面位置に応じて複数の変換テーブルを適宜切り替えて用いる。
【００１４】
また、本発明の第８の態様に係る補正データの作成方法は、複数の観測者のそれぞれに対応して、観測者によって観測される観測側映像信号と、該観測側映像信号以外の非観測側映像信号とを含む複数の異なる映像を切り替えて単一の表示画面に表示するときに発生するクロストークを抑制するための補正データの作成方法であって、前記表示画面に前記観測側映像信号と前記非観測側映像信号とを交互に切り替えて表示する第１のステップと、前記表示画面に表示されている前記観測側映像信号の輝度を測定する第２のステップと、前記表示画面に表示されている前記非観測側映像信号の輝度を所定量だけ変化させたときの前記観測側映像信号の輝度を測定する第３のステップと、前記第２のステップで測定された観測側映像信号の輝度と、前記第３のステップで測定された観測側映像信号の輝度との差を測定する第４のステップと、を具備し、前記観測側映像信号の輝度を所定量だけ逐次変化させながら、前記第３のステップと前記第４のステップとを所定回数反復する。
【００１５】
また、本発明の第９の態様に係る補正データの作成方法は、第８の態様において、前記観測側映像のみを表示させてその輝度を測定する第５のステップをさらに有し、前記第２のステップで得た測定値と前記第３のステップで得た測定値とから前記第５のステップで得た値を差し引いた後に、前記第４のステップを行う。
【００１６】
また、本発明の第１０の態様に係る補正データの作成方法は、第８の態様において、前記観測側映像信号の輝度をｘ軸にとり、前記観測側映像信号の輝度と、前記非観測側映像信号の輝度を所定の量だけ変化させたときの前記観測側映像信号の輝度との差をｙ軸にとり、前記各ステップを実行してｘとｙの値をプロットすることによって作成したクロストークを抑制するための補正曲線を用いる。
【００１７】
また、本発明の第１１の態様に係る映像表示装置は、第１の態様において、前記補正信号生成手段は、前記非観測側映像信号により表示される映像の輝度と、前記観測側映像信号により表示される映像の輝度の双方に依存して変化する前記補正信号を生成する。
【００１８】
また、本発明の第１２の態様に係る映像表示装置は、第１１の態様に係る映像表示装置において、前記クロストークによる観測側映像の輝度増加分は、前記非観測側映像信号が一定の場合、前記観測側映像信号の輝度の増加とともに増加し、所定の輝度を超えると減少に転ずる特性を持ち、前記補正信号生成手段は、前記クロストークを軽減させる特性を持つ補正信号を生成する。
【００１９】
また、本発明の第１３の態様に係る映像表示装置は、第１２の態様において、前記クロストークによる観測側映像の輝度増加分は、前記非観測側映像信号の輝度の増加とともに増加するものであり、かつ、前記非観測側映像信号の輝度に拘わらず、前記観測側映像信号の輝度の増加とともに増加し、所定の輝度を超えると減少に転ずる特性を持ち、前記補正信号生成手段は、前記クロストークを軽減させる特性を持つ補正信号を生成する。
【００２０】
また、本発明の第１４の態様に係る映像表示装置は、第１２または１３の態様において、前記所定の輝度は、中間の輝度である。
【００２１】
また、本発明の第１５の態様に係る映像表示装置は、第１２の態様において、前記観測側映像信号により表示される映像の輝度をｘ軸とし、前記クロストークによる観測側映像の輝度増加分をｙ軸とした座標系において、前記クロストークによる観測側映像の輝度増加分は、前記観測側映像信号の輝度の変化に対して、所定の関数に従って変化するような特性を持ち、前記補正信号生成手段は、前記クロストークを軽減させる特性を持つ補正信号を生成する。
【００２２】
また、本発明の第１６の態様に係る映像表示装置は、第１の態様において、前記変換テーブルは、前記映像表示素子の表面画面の温度ごとに複数個用意され、前記表示画面の温度に応じて複数の変換テーブルを適宜切り替えて用いる。
【発明の効果】
【００２３】
本発明によれば、漏洩側の映像、観測側の映像、画素配置を含む種々の要因に起因するクロストークを低減することができる。
【発明を実施するための最良の形態】
【００２４】
まず、クロストークの発生メカニズムについて説明する。図１は、従来の考え方によるクロストークの発生メカニズムについて説明するための図である。横軸は時間、縦軸は表示素子を構成する液晶の透過率である。ここでは表示素子に観測側映像を描画することを左描画と呼び、漏洩側映像を描画することを右描画と呼ぶ。タイミング１で白の映像信号を表示素子に印加して左描画を開始するとともに、これに同期してタイミング２で左バックライトの発光を開始する。左描画の開始とともに液晶の透過率が立ち上がり、所定の応答時間を経た後、印加された映像信号に応じた透過率となる。その後、リセット信号の印加により透過率は徐々に減少してタイミング３で透過率は０となる。このタイミング３で白の映像信号を表示素子に印加して右描画を開始するとともに、これに同期してタイミング４で右バックライトの発光を開始する。右描画の開始とともに液晶の透過率が立ち上がり、所定の応答時間を経た後、印加された映像信号に応じた透過率となる。その後、リセット信号の印加により透過率は徐々に減少して透過率は０となる。Ａで示される面積は左描画のときの輝度を表し、印加された左映像信号に依存する。また、Ｂで示される面積は右描画のときの輝度を表し、印加された右映像信号に依存する。このとき、Ｂの面積の一定比率（α倍）に相当する輝度が左側の輝度Ａにクロストーク妨害となって現れるものと考えられている。
【００２５】
しかしながら、クロストークは、漏洩側の映像の輝度のみならず、観測側の映像の輝度にも依存することが確認された。特に、透過型液晶表示装置においては、液晶の特性に履歴があるため、観測側の映像を表示した後に漏洩側の映像を表示すると、漏洩側の映像が観測側の映像の影響を受けて僅かにひずみが生じる。同様に漏洩側の映像を表示した後に観測側の映像を表示した場合にも、観測側の映像が漏洩側の映像の影響を受けて僅かにひずみが生じる。このときのクロストーク漏洩量は、漏洩側の映像の輝度に依存するだけでなく、観測対象の映像の輝度にも依存する。以下にこれについて図２を参照してさらに説明する。
【００２６】
図２は、本発明の考え方によるクロストーク発生メカニズムについて説明するための図である。横軸は時間、縦軸は表示素子を構成する液晶の透過率である。ここでは表示素子に観測側映像を描画することを左描画と呼び、漏洩側映像を描画することを右描画と呼ぶ。（Ａ）は左描画で白の映像を描画するとともに右描画でも白の映像を描画したときのクロストーク妨害の様子を示している。（Ｂ）は左描画で中間調の映像を描画し、右描画で白の映像を描画したときのクロストーク妨害の様子を示している。（Ｃ）は左描画で黒の映像を描画し、右描画で白の映像を描画したときのクロストーク妨害の様子を示している。（Ｄ）は左描画で白の映像を描画し、右描画で中間調の映像を描画したときのクロストーク妨害の様子を示している。（Ｅ）は左描画で中間調の映像を描画し、右描画でも中間調の映像を描画したときのクロストーク妨害の様子を示している。（Ｆ）は左描画で黒の映像を描画し、右描画で中間調の映像を描画したときのクロストーク妨害の様子を示ている。
【００２７】
図２からわかるように、観測側映像として中間調の映像信号を描画した場合（（Ｂ）、（Ｅ）の場合）には、Ｂの面積の一定比率（α倍）に相当する輝度が左側の輝度Ａにクロストーク妨害となって現れることに加えて、観測側映像信号の輝度Ａに依存したクロストーク妨害要因が漏洩側映像に発生し、この要因に基づく輝度Ａへのクロストーク妨害も発生することがわかる。
【００２８】
図３の（Ａ）から（Ｄ）は、表示画面２００の上下位置に応じて描画の開始がずれることを説明するための図である。ここでは図３の（Ａ）に示すように、画面上端、中央、下端の３つの位置を考える。図３の（Ｂ）は、画面上端での描画タイミングを示しており、図３の（Ｃ）は、画面中央での描画タイミングを示しており、図３の（Ｄ）は画面下端での描画タイミングを示している。図からわかるように、画面上端の左描画はタイミング１で開始されるが、画面中央、画面下端の左描画タイミングは少し遅れて描画が開始されることがわかる。
【００２９】
図４の（Ａ）から（Ｃ）は、表示画面２００の上下位置によってクロストーク妨害の様子が変化することを説明するための図である。ここでは左描画では中間調の映像信号が印加され、右描画では白の映像信号が印加されるものとする。図４の（Ａ）は、画面上端を描画したときのクロストーク妨害を示しており、図４の（Ｂ）は、画面中央を描画したときのクロストーク妨害を示しており、図４の（Ｃ）は、画面下端を描画したときのクロストーク妨害を示している。
【００３０】
図４からわかるように、Ｂの面積の一定比率（α倍）に相当する輝度が左側の輝度Ａにクロストーク妨害となって現れることに加えて、観測側映像信号の輝度Ａに依存したクロストーク妨害要因が右側の輝度に発生し、これに基づく輝度Ａへのクロストーク妨害も発生するが、このクロストーク妨害は画面の上下位置によって異なることがわかる。
【００３１】
図５の（Ａ）、（Ｂ）は、クロストーク妨害が温度によって異なることを説明するための図である。図５の（Ａ）は、高温時のクロストーク妨害の様子を示しており、図５の（Ｂ）は、低温時のクロストーク妨害の様子を示している。図５からわかるように、Ｂの面積の一定比率（α倍）に相当する輝度が左側の輝度Ａにクロストーク妨害となって現れることに加えて、観測側映像信号の輝度Ａに依存したクロストーク妨害要因が発生し、これに基づく輝度Ａへのクロストーク妨害が発生するが、右描画によるＢの輝度面積は温度によって異なることがわかる。
【００３２】
図６は、画面内の横方向の位置によってクロストーク妨害の大きさが異なることを説明するための図である。各光源３０１−１、３０１−２からの光を導くための導光板３００−１，３００−２が画面の横方向に沿って位置されている。各光源３０１−１、３０１−２からの光量は概して各光源３０１−１、３０１−２から遠ざかるにしたがって小さくなるが、これに比例してクロストーク量（漏れ量）の大きさも異なる。
【００３３】
以下に、図面を参照して本発明の実施形態を詳細に説明する。
【００３４】
（第１実施形態）
図７は、本発明の第１実施形態に係る映像表示装置の概略構成を示すブロック図である。観測側映像信号は、観測側映像入力端子１０−１から逐次入力されてメモリ１１−１に蓄積される。表示時において観測側映像信号はメモリ１１−１から読み出され、直線変換部１２−１でガンマ補正が施された後、クロストーク補正演算部１３に入力される。
【００３５】
一方、漏洩側映像信号は、漏洩側映像入力端子１０−２から逐次入力されてメモリ１１−２に蓄積される。表示時において漏洩側映像信号はメモリ１１−２から読み出され、直線変換部１２−２でガンマ補正が施された後、クロストーク補正演算部１３に入力される。クロストーク補正演算部１３では入力された映像信号に対してクロストーク補正が施されるが、その詳細は後述する。その後、非線形変換部１４で当該映像信号に対してガンマ逆補正が施された後、パネル駆動回路１５に供給される。パネル駆動回路１５は入力された観測側映像信号と漏洩側映像信号とを単一の表示画面に切り替えて表示する。
【００３６】
図８は、図７で説明したクロストーク補正演算部１３の概略構成を示すブロック図である。直線変換後の観測側映像信号と直線変換後の漏洩側映像信号はクロストーク補正演算部１３に入力されると、観測側／漏洩側切替部１００により切り替えられてそれぞれの別個の出力部から出力される。観測側映像信号は減算器１０３に入力されるとともに、変換テーブル１０１の一方の入力部に入力される。
【００３７】
一方、漏洩側映像信号は変換テーブル１０１の他方の入力部に入力されるとともに、乗算器１０２の一方の入力部に入力される。補正テーブルにはクロストークを考慮した補正曲線が予め記憶されており、入力された観測側映像信号の輝度及び漏洩側映像信号の輝度に応じた所定の変換を行って変換結果を出力する。この変換結果は乗算器１０２の他方の入力部に入力される。乗算器１０２は当該変換結果と漏洩側映像信号との乗算を行って乗算結果を漏洩量として減算器１０３に入力する。減算器１０３は観測側映像信号から乗算結果（漏洩量）を減算した値を出力してガンマ逆補正を行う非線形変換部１４に入力する。このようにして、観測側映像に漏洩した映像が除去されるので、漏洩側の映像、観測側の映像、画素配置を含む種々の要因に起因するクロストークを低減することができる。
【００３８】
図８において、変換テーブル１０１と乗算器１０２とは映像の切り替え表示により発生するクロストークを抑制するための補正信号を生成する補正信号生成手段を構成する。
【００３９】
図９は、クロストークによる観測側映像の輝度増加分（以下、クロストークの輝度増加分と呼ぶ）の一例をｘｙ座標系により表した図である。このような補正曲線の作成方法については後述する。ｘ軸は観測側映像信号により表示される映像の輝度であり、ｙ軸はクロストークの輝度増加分である。なお、ｘ軸の輝度値は実際の輝度を２．２乗したときの数値である。
【００４０】
前記したように、クロストークは、観測側映像信号の輝度と漏洩側映像信号の輝度とに依存する。すなわち、図９に示すように、クロストークの特性は、漏洩側映像信号の輝度が異なれば異なる特性曲線となり、図９では、漏洩側映像信号の輝度が４４６、１０５５０２、１９６９６５であるときのクロストーク曲線が示されている。これらの数値は、実際の輝度を２．２乗したときの数値である。輝度が１９６９６５のときのクロストーク曲線を近似した多項式で表現すると、ｙ＝−９＊１０-11＊ｘ2＋２＊１０-5＊ｘ＋１．３４３１となる。
【００４１】
また、クロストークの輝度増加分は、非観測側映像信号が一定の場合すなわち１つのクロストーク曲線のみを考慮すると、観測側映像信号の輝度がｘ軸に沿って増加するにつれて増加し中間の輝度で最大となり、その後は減少するという特性を持っている。中間輝度の位置での補正係数を大きくしているのは、中間輝度でクロストーク妨害が最大になると考えられるためである。また、クロストークの輝度増加分は、漏洩側映像信号の輝度の増加（図９では、４４６、１０５５０２、１９６９６５と増加している）とともに増加する特性を持つ。したがって、このクロストークの輝度増加分に合わせて変換テーブル１０１を作成すれば、観測側映像信号の輝度に応じて変化するクロストークを補正することができる。変換テーブル１０１の基になる補正曲線がクロストークの輝度増加分と同様に変化するものであることを示すため、図９には「補正曲線Ａ」等の記載を加えてある。
【００４２】
以下に、上記した補正曲線の作成方法について説明する。図１０は、クロストーク量測定系の構成を示す図である。また、図１１はクロストーク量測定用画像を示しており、（ａ）側は、観測側映像であり、（ｂ）側は漏洩側映像である。
【００４３】
まず、測定用の映像としての観測側映像と漏洩側映像とを交互に切り替えて映像表示素子の表示画面２００に表示する（手順Ｓ１）。次に、表示画面２００に表示されている観測側映像（図１１の（ａ１））の輝度をフォトダイオード等で構成される輝度センサ２０１により測定する（手順Ｓ２）。このとき、漏洩側映像（図１１の（ｂ１））の輝度は黒の状態すなわち輝度が０の状態（図１１の（ｂ１））にあることを仮定する。次に、漏洩側映像の輝度を所定量だけ大きく（明るく）し（図１１の（ｂ２））、このときの観測側映像（図１１の（ａ２））の輝度を輝度センサ２０１により測定する（手順Ｓ３）。次に、手順Ｓ２で測定された観測側映像の輝度値と、手順Ｓ３で測定された観測側映像の輝度値との差を測定する（手順Ｓ４）。この差が図９で説明したクロストークの輝度増加分である。
【００４４】
次に、観測側映像信号（図１１の（ａ１））の輝度値を所定量だけ変化させて手順Ｓ２と手順Ｓ３とを行い、手順Ｓ４で新たな輝度増加分を得る。上記の手順を繰り返すことにより、漏洩側映像がある輝度をもつときの補正曲線（図９で言うと例えば輝度＝１０５５０２としたときの補正曲線Ｂ）が得られる。
【００４５】
なお、観測側映像のみを表示させてその輝度値を測定し（手順Ｓ５）、第２手順で得た輝度値と、第３手順で得た輝度値とから第５手順で得た輝度値を差し引いてから、第４手順を行うようにしてもよい。
【００４６】
さらに、漏洩側映像の輝度を他の輝度（図９で言うと例えば１９６９６５、４４６）にして上記の手順を実行することにより、それぞれ補正曲線Ａ、Ｃが得られる。
【００４７】
（第２実施形態）
図１２は、第２実施形態に係るクロストーク補正演算部１３の構成を示す図である。図１２の構成では観測側映像信号のみが変換テーブル１０１に入力され、漏洩側映像信号は入力されない。クロストークの輝度増加分は観測側映像信号の輝度の変化に対して所定の関数に従って変化するような特性をもつことを利用し、漏洩側映像の輝度に応じて所定の係数を観測側映像の輝度に乗算して補正データを得る。したがって、変換テーブル１０１には観測側映像信号の輝度値に応じて変化するデータのみが記憶され、メモリ容量を節約することができる。
【００４８】
入力された観測側映像信号に対応する観測側映像の輝度が変換テーブル１０１において選択されて乗算器１０２に入力される。乗算器１０２では、観測側／漏洩側切替部１００から入力される漏洩側映像信号の輝度に応じて、所定の係数を観測側映像の輝度に乗算し、乗算結果を補正データとして減算器１０３に入力する。
【００４９】
（第３実施形態）
図１３、図１４は、本発明の第３実施形態の構成を示す図である。第３実施形態では、図１４に示すように、変換テーブル１０１は、表示画面の分割された各画面位置（例えば上、中、下の各画面位置）に対応して複数個（図では１０１−１，１０１−２，１０１−３）設けられ、画面位置に応じた補正を可能としたものである。すなわち、メモリ１１−１および１１−２から観測側映像信号と漏洩側映像信号を読み出すときに、当該読み出しアドレスに対応する画面位置に応じて、複数の変換テーブル１０１−１，１０１−２，１０１−３を切り替えることを特徴とする。なお、上記変換テーブルは、より精度を上げるために表示画面の画素数だけ設けるようにしてもよい。また、映像表示素子の温度を検出する温度センサを設け、該温度センサから出力される温度情報に基いて複数の変換テーブルを切り替えて使用するようにしてもよい。
【００５０】
以上、上記した第１乃至第３実施形態によれば、漏洩側の映像、観測側の映像、画素配置を含む種々の要因に起因するクロストークを低減することが可能になる。
【図面の簡単な説明】
【００５１】
【図１】図１は、従来の考え方によるクロストークの発生メカニズムについて説明するための図である。
【図２】本発明の考え方によるクロストーク発生メカニズムについて説明するための図である。
【図３】図３の（Ａ）から（Ｄ）は、表示画面の上下位置に応じて描画の開始がずれることを説明するための図である。
【図４】図４の（Ａ）から（Ｃ）は、画面の上下位置によってクロストーク妨害の様子が変化することを説明するための図である。
【図５】図５の（Ａ）、（Ｂ）は、クロストーク妨害が温度によって異なることを説明するための図である。
【図６】図６は、画面内の横方向の位置によってクロストーク妨害の大きさが異なることを説明するための図である。
【図７】図７は、本発明の第１実施形態に係る映像表示装置の概略構成を示すブロック図である。
【図８】図８は、図７に示すクロストーク補正演算部１３の概略構成を示すブロック図である。
【図９】図９は、クロストークの輝度増加分の一例をｘｙ座標系により表した図である。
【図１０】図１０は、クロストーク量測定系の構成を示す図である。
【図１１】図１１はクロストーク量測定用画像を示す図である。
【図１２】図１２は、第２実施形態に係るクロストーク補正演算部１３の構成を示す図である。
【図１３】図１３は、本発明の第３実施形態に係る映像表示装置の概略構成を示すブロック図である。
【図１４】図１４は、図１３に示すクロストーク補正演算部１３の概略構成を示すブロック図である。
【図１５】図１５は、クロストークを補正するための従来の一構成例を示す図である。
【符号の説明】
【００５２】
１０−１  観測側映像入力部
１０−２  漏洩側映像入力部
１１−１，１１−２  メモリ
１２−１，１２−２  直線変換部（ガンマ補正）
１３  クロストーク補正演算部
１４  非線形変換部（ガンマ逆補正）
１５  パネル駆動回路
１００  観測側／漏洩側切替部
１０１  変換テーブル
１０２  乗算器
１０３  減算器
２００  表示画面
２０１  輝度センサ
２０２  変換テーブル
【図１】
2008287161.tif 000003
【図２】
2008287161.tif 000004
【図３】
2008287161.tif 000005
【図４】
2008287161.tif 000006
【図５】
2008287161.tif 000007
【図６】
2008287161.tif 000008
【図７】
2008287161.tif 000009
【図８】
2008287161.tif 000010
【図９】
2008287161.tif 000011
【図１０】
2008287161.tif 000012
【図１１】
2008287161.tif 000013
【図１２】
2008287161.tif 000014
【図１３】
2008287161.tif 000015
【図１４】
2008287161.tif 000016
【図１５】
2008287161.tif 000017